(57)【特許請求の範囲】
【請求項１】
表示領域に複数の画素が配置されると共に各画素の間隙に遮光部が配置されたパネル部と、
複数の光透過領域が２次元配置されるとともに、前記光透過領域の周囲に遮光領域が配置されたバリア部と
を備え、
前記光透過領域は、観察者が前記バリア部を介して前記パネル部を正面とは異なる第１の方向または第２の方向から見たときに１つの光透過領域から１つの画素全体を視認可能に構成されており、
各画素は、複数色のサブピクセルからなり、
各画素に含まれるサブピクセルは、列方向において隣接する他の画素のサブピクセルと互い違いに配置されており、
列方向に並ぶ３行の各々の行に存する画素のサブピクセルのレイアウトがそれぞれ異なる
表示パネル。
【請求項２】
前記複数の画素は、前記第１の方向から見たときに前記光透過領域から見える複数の第１画素と、前記第２の方向から見たときに前記光透過領域から見える複数の第２画素とを含んで構成されている
請求項１に記載の表示パネル。
【請求項３】
前記第１画素および前記第２画素は、２次元平面内で交互に配置されている
請求項２に記載の表示パネル。
【請求項４】
前記遮光部は、画素レベルの面積を有する第１遮光部と、前記第１遮光部よりも面積の小さな第２遮光部とを含んで構成されている
請求項１に記載の表示パネル。
【請求項５】
前記第１遮光部および前記第２遮光部は、２次元平面内で交互に配置されている
請求項４に記載の表示パネル。
【請求項６】
前記第１遮光部および前記第２遮光部は、１つ画素を挟んで左右方向に交互に配置されている
請求項５に記載の表示パネル。
【請求項７】
前記光透過領域は、前記第１遮光部と対応する位置に配置されている
請求項６に記載の表示パネル。
【請求項８】
前記遮光部は、サブピクセルの幅よりも狭い幅で網目状に形成されている
請求項１に記載の表示パネル。
【請求項９】
前記複数の画素は、前記第１の方向から見たときに前記光透過領域から見える複数の第１画素と、前記第２の方向から見たときに前記光透過領域から見える複数の第２画素とを含んで構成されており、
前記光透過領域は、前記複数の画素のうち前記第１画素および前記第２画素とは異なる画素と対応する位置に配置されている
請求項８に記載の表示パネル。
【請求項１０】
表示領域に複数の画素が配置されると共に各画素の間隙に遮光部が配置されたパネル部と、
複数の光透過領域が２次元配置されるとともに、前記光透過領域の周囲に遮光領域が配置されたバリア部と、
前記パネル部および前記バリア部のうち少なくとも前記パネル部を駆動する駆動部と
を備え、
前記光透過領域は、観察者が前記バリア部を介して前記パネル部を正面とは異なる第１の方向または第２の方向から見たときに１つの光透過領域から１つの画素全体を視認可能な大きさとなっており、
各画素は、複数色のサブピクセルからなり、
各画素に含まれるサブピクセルは、列方向において隣接する他の画素のサブピクセルと互い違いに配置されており、
列方向に並ぶ３行の各々の行に存する画素のサブピクセルのレイアウトがそれぞれ異なる
表示装置。
【請求項１１】
表示装置を備え、
前記表示装置は、
表示領域に複数の画素が配置されると共に各画素の間隙に遮光部が配置されたパネル部と、
複数の光透過領域が２次元配置されるとともに、前記光透過領域の周囲に遮光領域が配置されたバリア部と、
前記パネル部および前記バリア部のうち少なくとも前記パネル部を駆動する駆動部と
を有し、
前記光透過領域は、観察者が前記バリア部を介して前記パネル部を正面とは異なる第１の方向または第２の方向から見たときに１つの光透過領域から１つの画素全体を視認可能に構成されており、
各画素は、複数色のサブピクセルからなり、
各画素に含まれるサブピクセルは、列方向において隣接する他の画素のサブピクセルと互い違いに配置されており、
列方向に並ぶ３行の各々の行に存する画素のサブピクセルのレイアウトがそれぞれ異なる
電子機器。
【発明の詳細な説明】
【技術分野】
【０００１】
本技術は、視点ごとでそれぞれ異なる２次元映像（平面映像）を視認することの可能なマルチビュー表示用の表示パネルに関する。また、本技術は、上記の表示パネルを備えた表示装置と、上記の表示装置を備えた電子機器とに関する。
【背景技術】
【０００２】
近年、マルチビュー表示または３次元表示の可能な表示装置が実用化されている。そのような表示装置の１つとして、例えば、表示パネルの表示領域上にバリア層を備えたものが知られている。そのようなバリア層の１つとして、例えば、特許文献１では、遮光領域によって隔たれた光透過性の複数のスリットが設けられたものが開示されている。また、例えば、特許文献２では、液晶に電圧が印加されることにより遮光領域が生成されるバリア液晶が開示されている。
【先行技術文献】
【特許文献】
【０００３】
【特許文献１】特開平９−２８１４４０号公報
【特許文献２】特開平８−１０６０７０号公報
【発明の概要】
【発明が解決しようとする課題】
【０００４】
ところで、上述したようなバリア層を設ける際に、スリット幅を１サブピクセルの幅と同等にまで狭くする場合がある。しかし、そのようにした場合には、画素とバリア層との距離が小さくなるので、表示パネルのＣＦ(Color Filter)基板を、その距離に応じた厚さになるまで加工する際の加工マージンが小さくなってしまう。そこで、スリット幅を２サブピクセル以上の幅と同等にまで拡げることが考えられる。ところが、そのようにした場合には、適視方向とは異なる方向から表示パネルを見た際に、色モアレという現象が生じてしまうことがある。「色モアレ」というのは、表示パネルを見る方向を水平面内で徐々に変化させていったときに、例えば、各スリット内に現れ始める色や、各スリット内から消えて行く色が等しくなり、それがぎらつきとなって見える現象を指している。
【０００５】
上記の問題に対する対策として、例えば、スリットの位置をずらすことが考えられる。しかし、そのようにした場合に、スリット内に見える各サブピクセルが、互いに異なる画素に属することになったときには、本来の画像とは若干異なる映像が表示されてしまう。このように、上記の対策では、映像品質が劣化することがあるという問題があった。
【０００６】
本技術はかかる問題点に鑑みてなされたもので、その目的は、マルチビュー表示の際の映像品質の劣化を低減することの可能な表示パネルならびにそれを備えた表示装置および電子機器を提供することにある。
【課題を解決するための手段】
【０００７】
本技術による表示パネルは、表示領域に複数の画素が配置されると共に各画素の間隙に遮光部が配置されたパネル部と、複数の光透過領域が２次元配置されるとともに、光透過領域の周囲に遮光領域が配置されたバリア部とを備えたものである。ここで、光透過領域は、観察者がバリア部を介してパネル部を正面とは異なる第１の方向または第２の方向から見たときに１つの光透過領域から１つの画素全体を視認可能に構成されている。また、各画素は、複数種類のサブピクセルからなり、各画素に含まれるサブピクセルは、ストライプ配列とは異なる配列となっている。
【０００８】
本技術による表示装置は、上記の表示パネルと、パネル部およびバリア部のうち少なくともパネル部を駆動する駆動部とを備えたものである。本技術による電子機器は、上記の表示装置を備えたものである。
【０００９】
本技術による表示パネル、表示装置および電子機器では、バリア部の光透過領域が、第１の方向または第２の方向から見たときに１つの光透過領域から１つの画素全体を視認可能に構成されている。従って、光透過領域内に見える各サブピクセルは、互いに同一の画素に属している。また、各画素に含まれるサブピクセルは、ストライプ配列とは異なる配列となっている。これにより、光透過領域を画素配列と対応しない位置にずらさなくても、色モアレを低減することができる。
【００１０】
本技術による表示パネル、表示装置および電子機器において、複数の画素は、例えば、第１の方向から見たときに光透過領域から見える複数の第１画素と、第２の方向から見たときに光透過領域から見える複数の第２画素とを含んで構成されている。このとき、上下方向または斜め方向に互いに隣接する２つの第１画素において、サブピクセルのレイアウトが互いに異なっていることが好ましい。さらに、上下方向または斜め方向に互いに隣接する２つの第２画素において、サブピクセルのレイアウトが互いに異なっていることが好ましい。これにより、光透過領域を画素配列と対応しない位置にずらさなくても、色モアレを低減することができる。
【００１１】
本技術による表示パネル、表示装置および電子機器において、遮光部は、例えば、画素レベルの面積を有する第１遮光部と、第１遮光部よりも面積の小さな第２遮光部とを含んで構成されている。この場合に、第１遮光部および第２遮光部は、２次元平面内で交互に配置されていることが好ましく、さらに、１つ画素を挟んで左右方向に交互に配置されていることが好ましい。第１遮光部および第２遮光部がそのような位置に配置されている場合に、光透過領域が、第１遮光部と対応する位置に配置されていることが好ましい。
【発明の効果】
【００１２】
本技術による表示パネル、表示装置および電子機器によれば、第１の方向または第２の方向から見たときにスリット内に見える各サブピクセルが互いに同一の画素に属しており、さらに、光透過領域を画素配列と対応しない位置にずらさなくても、色モアレを低減することができるようにしたので、マルチビュー表示の際の映像品質の劣化を低減することができる。
【図面の簡単な説明】
【００１３】
【図１】本技術の一実施の形態に係る表示装置の断面構成の一例を表す図である。
【図２】（Ａ）図１のパネル部の平面構成の一例を表す図である。（Ｂ）図１のバリア部の平面構成の一例を表す図である。（Ｃ）図２（Ａ）のパネル部と図２（Ｂ）のバリア部とを互いに重ね合わせたときの平面構成の一例を表す図である。
【図３】図１の表示装置におけるデュアルビュー表示について説明するための模式図である。
【図４】（Ａ）図１のパネル部の平面構成の第１変形例を表す図である。（Ｂ）図１のバリア部の平面構成の第１変形例を表す図である。（Ｃ）図４（Ａ）のパネル部と図４（Ｂ）のバリア部とを互いに重ね合わせたときの平面構成の一例を表す図である。
【図５】（Ａ）図１のパネル部の平面構成の第２変形例を表す図である。（Ｂ）図１のバリア部の平面構成の第２変形例を表す図である。（Ｃ）図５（Ａ）のパネル部と図５（Ｂ）のバリア部とを互いに重ね合わせたときの平面構成の一例を表す図である。
【図６】（Ａ）図１のパネル部の平面構成の第３変形例を表す図である。（Ｂ）図１のバリア部の平面構成の第３変形例を表す図である。（Ｃ）図６（Ａ）のパネル部と図６（Ｂ）のバリア部とを互いに重ね合わせたときの平面構成の一例を表す図である。
【図７】一適用例に係る電子機器の一例を表す斜視図である。
【発明を実施するための形態】
【００１４】
以下、発明を実施するための形態について、図面を参照して詳細に説明する。なお、説明は以下の順序で行う。
１．実施の形態（図１〜図３）
各画素がＲＧＢからなり、幅広のブラックが設けられている例
２．変形例（図４〜図６）
各画素がＲＧＧＢからなり、幅広のブラックが設けられている例
各画素がＲＧＢからなり、一般的なブラックが設けられている例
各画素がＲＧＧＢからなり、一般的なブラックが設けられている例
３．適用例（図７）
上記の表示装置が電子機器に適用されている例
【００１５】
＜１．実施の形態＞
［構成］
図１は、本技術の一実施の形態に係る表示装置１の断面構成の一例を表したものである。なお、図１は、模式的に表したものであり、実際の寸法や形状と同一であるとは限らない。表示装置１は、表示パネル２０と、表示パネル２０の背後に配置されたバックライト１０と、表示パネル２０を駆動する駆動回路（図示せず）とを備えている。バックライト１０は、表示パネル２０を背後から照明する面発光源である。表示パネル２０の上面が映像表示面となっている。表示パネル２０は、パネル部３０およびバリア部４０を有している。
【００１６】
図２（Ａ）は、図１のパネル部３０の平面構成の一例を表したものである。図２（Ｂ）は、図１のバリア部４０の平面構成の一例を表したものである。図２（Ｃ）は、図２（Ａ）のパネル部３０と図２（Ｂ）のバリア部４０とを互いに重ね合わせたときの平面構成の一例を表したものである。
【００１７】
パネル部３０は、外部から入力される映像信号に応じて各画素３１が駆動される透過型のパネルである。パネル部３０は、例えば、液晶パネル、有機ＥＬ(Electro-Luminescence)パネル、またはプラズマパネルである。なお、パネル部３０が有機ＥＬパネルやプラズマパネルなどの、自発光機構を備えている場合には、バックライト１０は省略可能である。パネル部３０は、例えば、図２（Ａ）に示したように、４辺を有する方形状となっている。なお、以下では、パネル部３０の４辺のうち互いに対向する２辺が水平方向と平行となっており、残りの２辺が垂直方向と平行となっているものとする。また、以下では、水平方向のことを左右方向と称したり、行方向と称したりすることがある。また、垂直方向を上下方向と称したり、列方向と称したりすることもある。
【００１８】
パネル部３０は、複数の画素３１が２次元配置された表示領域を有しており、その周縁に環状のフレーム領域を有している。表示領域に設けられた各画素３１は、例えば、図２（Ａ）に示したように、赤色用のサブピクセル３２Ｒ、緑色用のサブピクセル３２Ｇ、および青色用のサブピクセル３２Ｂからなる。なお、以下では、サブピクセル３２Ｒ，３２Ｇ，３２Ｂの総称として、サブピクセル３２を用いるものとする。
【００１９】
各画素３１は、ストライプ配列とは異なる配列となっている。例えば、図２（Ａ）に示したように、複数の画素３１が列方向において互い違い（千鳥足状）に配置されると共に、行方向に一列に配置されている。各画素３１におけるサブピクセル３２のレイアウトは、行ごとに異なっている。例えば、ある行では、各画素３１が行方向にＲ，Ｇ，Ｂの順で並んだレイアウトとなっており、別の行では、各画素３１が行方向にＢ，Ｒ，Ｇの順に並んだレイアウトとなっており、さらに別の行では、各画素３１が行方向にＧ，Ｂ，Ｒの順に並んだレイアウトとなっている。
【００２０】
パネル部３０は、画素３１同士の間や、サブピクセル３２同士の間に、遮光部であるブラック３３を有している。ブラック３３は、例えば、図２（Ａ）に示したように、画素３１の周囲に、画素レベルの面積（例えば画素３１と同一またはほぼ同一の面積）を有する遮光部３３Ａと、遮光部３３Ａよりも面積の小さな遮光部３３Ｂとを有している。遮光部３３Ａ，３３Ｂは、２次元平面内で交互に配置されている。例えば、遮光部３３Ａ，３３Ｂは、１つ画素３１を間に挟んで左右方向（行方向）に交互に配置されるとともに、画素３１を間に挟まずに上下方向（列方向）に交互に配置されている。
【００２１】
ブラック３３は、さらに、例えば、図２（Ａ）に示したように、画素３１の内部であって、かつサブピクセル３２同士の間に、遮光部３３Ｂよりも面積の小さな遮光部３３Ｃを有している。ブラック３３は、画素３１との関係で上下方向（列方向）の位置にも、遮光部３３Ｃを有している。
【００２２】
バリア部４０は、パネル部３０の各画素３１から出射された光（映像光）の一部を遮蔽するものである。バリア部４０は、映像光の一部を遮蔽することにより、観察者が２つの適視方向（後述のｄ１，ｄ２）ごとでそれぞれ異なる２次元映像（平面映像）を視認することを可能にするものである。従って、表示装置１は、いわゆるデュアルビュー表示装置となっている。
【００２３】
バリア部４０は、例えば、図１に示したように、パネル部３０と対向する位置に配置されている。バリア部４０は、例えば、図２（Ｂ）に示したように、複数の光透過領域４２が２次元配置されるとともに、各光透過領域４２の周囲に遮光領域４１が配置されたバリアパターンを有している。
【００２４】
遮光領域４１は、例えば、遮光部材によって構成されている。一方、光透過領域４２は、例えば、開口となっている。複数の光透過領域４２は、全体として規則的に配置されており、行方向および列方向に２次元配置されている。複数の光透過領域４２は、例えば、図２（Ｂ）に示したように、行ごとにハーフピッチだけずれて配置されており、遮光領域４１および光透過領域４２がおおむね市松状に（つまり行方向および列方向に交互に）配置されている。
【００２５】
各光透過領域４２は、例えば、図２（Ｂ）に示したように、画素レベルの面積（例えば画素３１と同一またはほぼ同一の面積）を有しており、画素３１と同一またはほぼ同一の形状および大きさとなっている。複数の光透過領域４２は、例えば、図２（Ｂ）に示したように、行方向において、おおむね３画素分のピッチで配置されるとともに、列方向において、おおむね２画素分のピッチで配置されている。つまり、行方向に隣り合う２つの光透過領域４２の間には、おおむね２画素分の間隙が存在しており、列方向に隣り合う２つの光透過領域４２の間には、おおむね１画素分の間隙が存在している。
【００２６】
各光透過領域４２は、遮光部３３Ａと対応する位置に配置されており、例えば、図２（Ｃ）に示したように、遮光部３３Ａと対向する位置に配置されている。一方、遮光領域４１は、各画素３１、遮光部３３Ｂ，３３Ｃと対応する位置に配置されており、例えば、図２（Ｃ）に示したように、各画素３１、遮光部３３Ｂ，３３Ｃと対向する位置に配置されている。
【００２７】
図３は、表示装置１におけるデュアルビュー表示を模式的に表したものである。バリア部４０は、図３に示したように、観察者Ｈが第１適視方向ｄ１から表示パネル２０を眺めたときに、各光透過領域４２を介して所定の画素３１が見える位置に配置されている。つまり、各光透過領域４２は、観察者Ｈが第１適視方向ｄ１から表示パネル２０を眺めたときに、１つの光透過領域４２から１つの画素全体を視認可能に構成されている。なお、観察者Ｈが第１適視方向ｄ１から表示パネル２０を眺めたときに、各光透過領域４２を介して視認できる画素３１を第１画素３１Ａと称するものとする。
【００２８】
バリア部４０は、さらに、図３に示したように、観察者Ｈが第２適視方向ｄ２から表示パネル２０を眺めたときに、各光透過領域４２を介して、第１画素３１Ａとは異なる画素３１が見える位置に配置されている。つまり、各光透過領域４２は、観察者Ｈが第２適視方向ｄ２から表示パネル２０を眺めたときに、１つの光透過領域４２から１つの画素全体を視認可能に構成されている。なお、観察者Ｈが第２適視方向ｄ２から表示パネル２０を眺めたときに、各光透過領域４２を介して視認できる画素３１を第２画素３１Ｂと称するものとする。
【００２９】
第１画素３１Ａおよび第２画素３１Ｂは、左右方向において交互に配置されており、さらに上下方向において交互に配置されている。また、第１画素３１Ａは、遮光部３３Ａの右隣りに配置されており、第２画素３１Ｂは、遮光部３３Ａの左隣りに配置されている。同様に、第１画素３１Ａは、遮光部３３Ｂの左隣りに配置されており、第２画素３１Ｂは、遮光部３３Ｂの右隣りに配置されている。
【００３０】
ここで、上下方向に互いに隣接する２つの第１画素３１Ａ（図２（Ａ）では、例えば、第１行目の第１画素３１Ａと、第３行目の第１画素３１Ａ）において、サブピクセル３２のレイアウトが互いに異なっている。また、斜め方向に互いに隣接する２つの第１画素３１Ａ（図２（Ａ）では、例えば、第１行目の第１画素３１Ａと、第２行目の第１画素３１Ａ）において、サブピクセル３２のレイアウトが互いに異なっている。さらに、上下方向に互いに隣接する２つの第２画素３１Ｂ（図２（Ａ）では、例えば、第１行目の第２画素３１Ｂと、第３行目の第２画素３１Ｂ）において、サブピクセル３２のレイアウトが互いに異なっている。また、斜め方向に互いに隣接する２つの第２画素３１Ｂ（図２（Ａ）では、例えば、第１行目の第２画素３１Ｂと、第２行目の第２画素３１Ｂ）において、サブピクセル３２のレイアウトが互いに異なっている。
【００３１】
各光透過領域４２が、例えば、図２（Ｃ）、図３に示したように、遮光部３３Ａと対向する位置に配置されている場合には、観察者Ｈは、正面方向から表示パネル２０を眺めたときに、各光透過領域４２を介して遮光部３３Ａが見える。
【００３２】
このとき、例えば、図２（Ｃ）に示したように、ある光透過領域４２（光透過領域４２ａ（図示せず）とする。）では、観察者Ｈが正面方向から表示パネル２０を眺めたときに、遮光部３３Ａだけでなく、サブピクセル３２Ｒ，３２Ｇの一部が、遮光部３３Ａの両脇に見える。光透過領域４２ａは、各画素３１が行方向にＧ，Ｂ，Ｒの順に並んだレイアウトとなっている画素行に対応して配置されている。
【００３３】
同様に、例えば、図２（Ｃ）に示したように、別の光透過領域４２（光透過領域４２ｂ（図示せず）とする。）では、観察者Ｈが正面方向から表示パネル２０を眺めたときに、遮光部３３Ａだけでなく、サブピクセル３２Ｒ，３２Ｂの一部が、遮光部３３Ａの両脇に見える。光透過領域４２ｂは、各画素３１が行方向にＲ，Ｇ，Ｂの順に並んだレイアウトとなっている画素行に対応して配置されている。
【００３４】
また、例えば、図２（Ｃ）に示したように、さらに別の光透過領域４２（光透過領域４２ｃ（図示せず）とする。）では、観察者Ｈが正面方向から表示パネル２０を眺めたときに、遮光部３３Ａだけでなく、サブピクセル３２Ｂ，３２Ｇの一部が、遮光部３３Ａの両脇に見える。光透過領域４２ｃは、各画素３１が行方向にＢ，Ｒ，Ｇの順に並んだレイアウトとなっている画素行に対応して配置されている。
【００３５】
ところで、観察者Ｈの観察方向が、例えば、第１適視方向ｄ１から正面方向を第２適視方向ｄ２に変移していった場合に、光透過領域４２ａ，４２ｂ，４２ｃ内に現れ始める色や、光透過領域４２ａ，４２ｂ，４２ｃ内から消えて行く色は、互いに異なっている。そのため、観察者Ｈの観察方向が、例えば、第１適視方向ｄ１から正面方向を第２適視方向ｄ２に変移していった場合に、色モアレが生じる虞がない。
【００３６】
［動作］
本実施の形態では、バックライト１０から出力された光がパネル部３０の各画素３１で変調され、所定の映像光がバリア部４０に出力される。その後、映像光の一部は、バリア部４０の遮光領域４１で遮断され、光透過領域４２を透過した光が表示パネル２０の映像表示面から出力される。映像表示面から出力された光は、例えば、第１適視方向ｄ１と平行な線分上の所定の位置（視点）で結像し、２次元映像（平面映像）が生成される。また、映像表示面から出力された光は、例えば、第２適視方向ｄ２と平行な線分上の所定の位置（視点）で結像し、２次元映像（平面映像）が生成される。
【００３７】
［効果］
本実施の形態では、バリア部４０の光透過領域４２が、第１適視方向ｄ１または第２適視方向ｄ２から見たときに１つの光透過領域４２から１つの画素全体を視認可能に構成されている。従って、光透過領域４２内に見える各サブピクセルは、互いに同一の画素に属している。また、各画素３１はストライプ配列とは異なる配列となっている。これにより、光透過領域４２を画素配列と対応しない位置にずらさなくても、色モアレを低減することができる。以上のことから、本実施の形態では、マルチビュー表示の際の映像品質の劣化を低減することができる。
【００３８】
また、本実施の形態では、上下方向に互いに隣接する２つの第１画素３１Ａにおいて、サブピクセル３２のレイアウトが互いに異なっており、さらに、斜め方向に互いに隣接する２つの第１画素３１Ａにおいても、サブピクセル３２のレイアウトが互いに異なっている。さらに、上下方向に互いに隣接する２つの第２画素３１Ｂにおいて、サブピクセル３２のレイアウトが互いに異なっており、さらに、斜め方向に互いに隣接する２つの第２画素３１Ｂにおいても、サブピクセル３２のレイアウトが互いに異なっている。これにより、光透過領域４２を画素配列と対応しない位置にずらさなくても、色モアレを低減することができる。
【００３９】
また、本実施の形態では、遮光部３３Ａおよび遮光部３３Ｂが、１つ画素３１を間に挟んで行方向に交互に配置されるとともに、画素３１を間に挟まずに列方向に交互に配置されている。さらに、遮光部３３Ａと対応する位置に光透過領域４２が設けられるとともに、遮光領域４１および光透過領域４２がおおむね市松状に（つまり行方向および列方向に交互に）配置されている。これにより、光透過領域４２を画素配列と対応する位置に配置した状態であっても、色モアレを低減することができる。
【００４０】
また、本実施の形態において、光透過領域４２が、遮光部３３Ａとの対向領域に配置されている場合には、観察者Ｈが正面方向から表示パネル２０を眺めたときに、不要な画像がほとんど見えないようにすることができる。
【００４１】
＜２．変形例＞
上記実施の形態では、各画素３１は、Ｒ，Ｇ，Ｂの３色のサブピクセル３２Ｒ，３２Ｇ，３２Ｂが行方向に１つずつ配列されていたが、各画素３１に含まれるサブピクセル３２の色の種類および数は、上記に限られるものではない。また、各画素３１におけるサブピクセル３２Ｒ，３２Ｇ，３２Ｂの配列も、上記に限られるものではない。
【００４２】
（第１変形例）
例えば、図４（Ａ）に示したように、各画素３１が、１つのサブピクセル３２Ｒと、２つのサブピクセル３２Ｇと、１つのサブピクセル３２Ｂとからなっていてもよい。
【００４３】
本変形例において、各画素３１はストライプ配列とは異なる配列となっている。例えば、図４（Ａ）に示したように、複数の画素３１が列方向において互い違い（千鳥足状）に配置されると共に、行方向に一列に配置されている。各画素３１は、４つのサブピクセル３２で構成されており、４つのサブピクセル３２が２×２のレイアウトとなっている。各画素３１におけるサブピクセル３２のレイアウトは、行ごとに異なっている。例えば、ある行では、各画素３１が、右側にＢ，Ｇが並び、左側にＲ，Ｇが並んだレイアウトとなっており、別の行では、各画素３１が、右側にＲ，Ｇが並び、左側にＢ，Ｇが並んだレイアウトとなっている。
【００４４】
画素３１同士の間や、サブピクセル３２同士の間には、遮光部であるブラック３３が配置されている。ブラック３３は、例えば、図４（Ａ）に示したように、画素３１の周囲に、画素レベルの面積（例えば画素３１と同一またはほぼ同一の面積）を有する遮光部３３Ａと、遮光部３３Ａよりも面積の小さな遮光部３３Ｂとを有している。遮光部３３Ａ，３３Ｂは、２次元平面内で交互に配置されている。例えば、遮光部３３Ａ，３３Ｂは、１つ画素３１を間に挟んで左右方向に交互に配置されるとともに、画素３１を間に挟まないで上下方向に交互に配置されている。
【００４５】
ブラック３３は、さらに、例えば、図４（Ａ）に示したように、画素３１の内部であって、かつサブピクセル３２同士の間に、遮光部３３Ｂよりも面積の小さな遮光部３３Ｃを有している。ブラック３３は、画素３１との関係で上下方向（列方向）の位置にも、遮光部３３Ｃを有している。
【００４６】
バリア部４０は、例えば、図４（Ｂ）に示したように、複数の光透過領域４２が２次元配置されるとともに、各光透過領域４２の周囲に遮光領域４１が配置されたバリアパターンを有している。
【００４７】
複数の光透過領域４２は、例えば、図４（Ｂ）に示したように、行ごとにハーフピッチだけずれて配置されており、遮光領域４１および光透過領域４２がおおむね市松状に（つまり行方向および列方向に交互に）配置されている。
【００４８】
各光透過領域４２は、例えば、図４（Ｂ）に示したように、画素レベルの面積（例えば画素３１と同一またはほぼ同一の面積）を有しており、画素３１と同一またはほぼ同一の形状および大きさとなっている。複数の光透過領域４２は、例えば、図４（Ｂ）に示したように、行方向において、おおむね３画素分のピッチで配置されるとともに、列方向において、おおむね２画素分のピッチで配置されている。つまり、行方向に隣り合う２つの光透過領域４２の間には、おおむね２画素分の間隙が存在しており、列方向に隣り合う２つの光透過領域４２の間には、おおむね１画素分の間隙が存在している。
【００４９】
各光透過領域４２は、遮光部３３Ａと対応する位置に配置されており、例えば、図４（Ｃ）に示したように、遮光部３３Ａと対向する位置に配置されている。一方、遮光領域４１は、各画素３１、遮光部３３Ｂ，３３Ｃと対応する位置に配置されており、例えば、図４（Ｃ）に示したように、各画素３１、遮光部３３Ｂ，３３Ｃと対向する位置に配置されている。
【００５０】
バリア部４０は、上記実施の形態と同様、観察者Ｈが第１適視方向ｄ１から表示パネル２０を眺めたときに、各光透過領域４２を介して所定の画素３１（第１画素３１Ａ）が見える位置に配置されている。つまり、各光透過領域４２は、観察者Ｈが第１適視方向ｄ１から表示パネル２０を眺めたときに、１つの光透過領域４２から１つの画素全体を視認可能に構成されている。
【００５１】
バリア部４０は、さらに、上記実施の形態と同様、観察者Ｈが第２適視方向ｄ２から表示パネル２０を眺めたときに、各光透過領域４２を介して、第１画素３１Ａとは異なる画素３１（第２画素３１Ｂ）が見える位置に配置されている。つまり、各光透過領域４２は、観察者Ｈが第２適視方向ｄ２から表示パネル２０を眺めたときに、１つの光透過領域４２から１つの画素全体を視認可能に構成されている。
【００５２】
第１画素３１Ａおよび第２画素３１Ｂは、左右方向において交互に配置されており、さらに上下方向において交互に配置されている。また、第１画素３１Ａは、遮光部３３Ａの右隣りに配置されており、第２画素３１Ｂは、遮光部３３Ａの左隣りに配置されている。同様に、第１画素３１Ａは、遮光部３３Ｂの左隣りに配置されており、第２画素３１Ｂは、遮光部３３Ｂの右隣りに配置されている。
【００５３】
ここで、斜め方向に互いに隣接する２つの第１画素３１Ａ（図４（Ａ）では、例えば、第１行目の第１画素３１Ａと、第２行目の第１画素３１Ａ）において、サブピクセル３２のレイアウトが互いに異なっている。さらに、斜め方向に互いに隣接する２つの第２画素３１Ｂ（図４（Ａ）では、例えば、第１行目の第２画素３１Ｂと、第２行目の第２画素３１Ｂ）において、サブピクセル３２のレイアウトが互いに異なっている。
【００５４】
各光透過領域４２が、例えば、図４（Ｃ）に示したように、遮光部３３Ａと対向する位置に配置されている場合には、観察者Ｈが正面方向から表示パネル２０を眺めたときに、各光透過領域４２を介して遮光部３３Ａが見える。
【００５５】
このとき、例えば、図４（Ｃ）に示したように、ある光透過領域４２（光透過領域４２ａ（図示せず）とする。）では、観察者Ｈが正面方向から表示パネル２０を眺めたときに、遮光部３３Ａだけでなく、サブピクセル３２Ｒ，３２Ｇの一部が遮光部３３Ａの右脇に見える。さらに、サブピクセル３２Ｇ，３２Ｂの一部が遮光部３３Ａの左脇に見える。光透過領域４２ａは、各画素３１が右側にＲ，Ｇが並び、左側にＧ，Ｂが並んだレイアウトとなっている画素行に対応して配置されている。
【００５６】
同様に、例えば、図４（Ｃ）に示したように、別の光透過領域４２（光透過領域４２ｂ（図示せず）とする。）では、観察者Ｈが正面方向から表示パネル２０を眺めたときに、遮光部３３Ａだけでなく、サブピクセル３２Ｒ，３２Ｇの一部が遮光部３３Ａの左脇に見える。さらに、サブピクセル３２Ｇ，３２Ｂの一部が遮光部３３Ａの右脇に見える。光透過領域４２ｂは、各画素３１が右側にＢ，Ｇが並び、左側にＲ，Ｇが並んだレイアウトとなっている画素行に対応して配置されている。
【００５７】
ところで、観察者Ｈの観察方向が、例えば、第１適視方向ｄ１から正面方向を第２適視方向ｄ２に変移していった場合に、光透過領域４２ａ，４２ｂ内に現れ始める色や、光透過領域４２ａ，４２ｂ内から消えて行く色は、互いに異なっている。そのため、観察者Ｈの観察方向が、例えば、第１適視方向ｄ１から正面方向を第２適視方向ｄ２に変移していった場合に、色モアレが生じる虞がない。
【００５８】
［動作］
本変形例では、バックライト１０から出力された光がパネル部３０の各画素３１で変調され、所定の映像光がバリア部４０に出力される。その後、映像光の一部は、バリア部４０の遮光領域４１で遮断され、光透過領域４２を透過した光が表示パネル２０の映像表示面から出力される。映像表示面から出力された光は、例えば、第１適視方向ｄ１と平行な線分上の所定の位置（視点）で結像し、２次元映像（平面映像）が生成される。また、映像表示面から出力された光は、例えば、第２適視方向ｄ２と平行な線分上の所定の位置（視点）で結像し、２次元映像（平面映像）が生成される。
【００５９】
［効果］
本変形例では、バリア部４０の光透過領域４２が、第１適視方向ｄ１または第２適視方向ｄ２から見たときに１つの光透過領域４２から１つの画素全体を視認可能に構成されている。従って、光透過領域４２内に見える各サブピクセルは、互いに同一の画素に属している。また、各画素３１はストライプ配列とは異なる配列となっている。これにより、光透過領域４２を画素配列と対応しない位置にずらさなくても、色モアレを低減することができる。以上のことから、本実施の形態では、マルチビュー表示の際の映像品質の劣化を低減することができる。
【００６０】
また、本変形例では、斜め方向に互いに隣接する２つの第１画素３１Ａにおいても、サブピクセル３２のレイアウトが互いに異なっている。さらに、斜め方向に互いに隣接する２つの第２画素３１Ｂにおいても、サブピクセル３２のレイアウトが互いに異なっている。これにより、光透過領域４２を画素配列と対応しない位置にずらさなくても、色モアレを低減することができる。
【００６１】
また、本変形例では、遮光部３３Ａおよび遮光部３３Ｂが、１つの画素３１を間に挟んで行方向に交互に配置されるとともに、画素３１を間に挟まないで列方向に交互に配置されている。さらに、遮光部３３Ａと対応する位置に光透過領域４２が設けられるとともに、遮光領域４１および光透過領域４２がおおむね市松状に（つまり行方向および列方向に交互に）配置されている。これにより、光透過領域４２を画素配列と対応する位置に配置した状態であっても、色モアレを低減することができる。
【００６２】
（第２変形例）
上記実施の形態において、遮光部３３Ａの位置に画素３１が配置されると共に、遮光部３３Ｂの位置に遮光部３３Ｃが配置されてもよい。このようにした場合には、例えば、図５（Ａ）に示したように、パネル部３０の表示領域では、複数のサブピクセル３２が遮光部３３Ｃを介して２次元配置されている。つまり、遮光部３３Ｃがサブピクセル３２の幅よりも狭い幅で網目状に形成されている。このとき、観察者Ｈが正面方向から表示パネル２０を眺めたときには、例えば、図５（Ｃ）に示したように、各光透過領域４２には、遮光部３３Ａの代わりに、１つの画素３１が見える。つまり、各光透過領域４２が、複数の画素３１のうち第１画素３１Ａおよび第２画素３１Ｂとは異なる画素３１と対応する位置に配置されている。
【００６３】
しかし、本変形例では、上記第１の実施の形態と同様に、各画素３１に含まれるサブピクセル３２は、ストライプ配列とは異なる配列となっている。これにより、光透過領域４２を画素配列と対応しない位置にずらさなくても、色モアレを低減することができるので、マルチビュー表示の際の映像品質の劣化を低減することができる。
【００６４】
また、本変形例では、上下方向に互いに隣接する２つの第１画素３１Ａにおいて、サブピクセル３２のレイアウトが互いに異なっており、さらに、斜め方向に互いに隣接する２つの第１画素３１Ａにおいても、サブピクセル３２のレイアウトが互いに異なっている。さらに、上下方向に互いに隣接する２つの第２画素３１Ｂにおいて、サブピクセル３２のレイアウトが互いに異なっており、さらに、斜め方向に互いに隣接する２つの第２画素３１Ｂにおいても、サブピクセル３２のレイアウトが互いに異なっている。これにより、光透過領域４２を画素配列と対応しない位置にずらさなくても、色モアレを低減することができる。
【００６５】
（第３変形例）
上記第１変形例において、遮光部３３Ａの位置に画素３１が配置されると共に、遮光部３３Ｂの位置に遮光部３３Ｃが配置されてもよい。このようにした場合には、例えば、図６（Ａ）に示したように、パネル部３０の表示領域では、複数のサブピクセル３２が遮光部３３Ｃを介して２次元配置されている。このとき、観察者Ｈが正面方向から表示パネル２０を眺めたときには、例えば、図６（Ｃ）に示したように、各光透過領域４２には、遮光部３３Ａの代わりに、１つの画素３１が見える。
【００６６】
しかし、本変形例では、上記第１変形例と同様に、各画素３１に含まれるサブピクセル３２は、ストライプ配列とは異なる配列となっている。これにより、光透過領域４２を画素配列と対応しない位置にずらさなくても、色モアレを低減することができるので、マルチビュー表示の際の映像品質の劣化を低減することができる。
【００６７】
また、本変形例では、斜め方向に互いに隣接する２つの第１画素３１Ａにおいても、サブピクセル３２のレイアウトが互いに異なっている。さらに、斜め方向に互いに隣接する２つの第２画素３１Ｂにおいても、サブピクセル３２のレイアウトが互いに異なっている。これにより、光透過領域４２を画素配列と対応しない位置にずらさなくても、色モアレを低減することができる。
【００６８】
＜３．適用例＞
次に、上記実施の形態およびその変形例に係る表示装置１の一適用例について説明する。図７は、本適用例に係る電子機器１００の概略構成の一例を表す斜視図である。電子機器１００は、携帯電話機であり、例えば、図７に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、電子機器１００全体の制御を司る制御部の一部として、またはその制御部とは別に、本体部１１１または表示体部１１２の内部に設けられている。
【００６９】
表示装置１１３は、上記実施の形態およびその変形例に係る表示装置１と同一の構成を備えている。これにより、表示装置１１３において、マルチビュー表示の際に、色モアレの少ない映像品質に優れた映像が得られる。
【００７０】
以上、実施の形態、その変形例および適用例を挙げて本技術を説明したが、本技術は上記実施の形態等に限定されるものではなく、種々変形が可能である。
【００７１】
例えば、上記実施の形態、その変形例および適用例では、各遮光領域４１が遮光部材によって構成され、各光透過領域４２が開口となっている場合が例示されていた。しかし、バリア部４０が、遮光領域４１の光学的な性質を、外部からの制御信号に基づいて制御可能な動的な構成となっていてもよい。このとき、駆動回路は、パネル部３０だけでなく、バリア部４０も駆動するようになっている。
【００７２】
なお、上記実施の形態およびその変形例に係る表示装置１を適用可能な電子機器としては、以上に説明した携帯電話機等の他にも、パーソナルコンピュータ、液晶テレビ、ビューファインダ型またはモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【００７３】
また例えば、本技術は以下のような構成を取ることができる。
（１）
表示領域に複数の画素が２次元配置されると共に各画素の間隙に遮光部が配置されたパネル部と、
複数の光透過領域が２次元配置されるとともに、前記光透過領域の周囲に遮光領域が配置されたバリア部と
を備え、
前記光透過領域は、観察者が前記バリア部を介して前記パネル部を正面とは異なる第１の方向または第２の方向から見たときに１つの光透過領域から１つの画素全体を視認可能に構成されており、
各画素は、複数種類のサブピクセルからなり、
各画素に含まれるサブピクセルは、ストライプ配列とは異なる配列となっている
表示パネル。
（２）
前記複数の画素は、前記第１の方向から見たときに前記光透過領域から見える複数の第１画素と、前記第２の方向から見たときに前記光透過領域から見える複数の第２画素とを含んで構成されており、
上下方向または斜め方向に互いに隣接する２つの第１画素において、サブピクセルのレイアウトが互いに異なっており、
上下方向または斜め方向に互いに隣接する２つの第２画素において、サブピクセルのレイアウトが互いに異なっている
（１）に記載の表示パネル。
（３）
前記第１画素および前記第２画素は、２次元平面内で交互に配置されている
（２）に記載の表示パネル。
（４）
前記遮光部は、画素レベルの面積を有する第１遮光部と、前記第１遮光部よりも面積の小さな第２遮光部とを含んで構成されている
（１）ないし（３）のいずれか一項に記載の表示パネル。
（５）
前記第１遮光部および前記第２遮光部は、２次元平面内で交互に配置されている
（４）に記載の表示パネル。
（６）
前記第１遮光部および前記第２遮光部は、１つ画素を挟んで左右方向に交互に配置されている
（５）に記載の表示パネル。
（７）
前記光透過領域は、前記第１遮光部と対応する位置に配置されている
（６）に記載の表示パネル。
（８）
前記遮光部は、サブピクセルの幅よりも狭い幅で網目状に形成されている
（１）ないし（３）のいずれか一項に記載の表示パネル。
（９
前記光透過領域は、前記複数の画素のうち前記第１画素および前記第２画素とは異なる画素と対応する位置に配置されている
（８）に記載の表示パネル。
（１０）
表示領域に複数の画素が２次元配置されると共に各画素の間隙に遮光部が配置されたパネル部と、
複数の光透過領域が２次元配置されるとともに、前記光透過領域の周囲に遮光領域が配置されたバリア部と、
前記パネル部および前記バリア部のうち少なくとも前記パネル部を駆動する駆動部と
を備え、
前記光透過領域は、観察者が前記バリア部を介して前記パネル部を正面とは異なる第１の方向または第２の方向から見たときに１つの光透過領域から１つの画素全体を視認可能な大きさとなっており、
各画素は、複数種類のサブピクセルからなり、
各画素に含まれるサブピクセルは、ストライプ配列とは異なる配列となっている
表示装置。
（１１）
表示装置を備え、
前記表示装置は、
表示領域に複数の画素が２次元配置されると共に各画素の間隙に遮光部が配置されたパネル部と、
複数の光透過領域が２次元配置されるとともに、前記光透過領域の周囲に遮光領域が配置されたバリア部と、
前記パネル部および前記バリア部のうち少なくとも前記パネル部を駆動する駆動部と
を有し、
前記光透過領域は、観察者が前記バリア部を介して前記パネル部を正面とは異なる第１の方向または第２の方向から見たときに１つの光透過領域から１つの画素全体を視認可能に構成されており、
各画素は、複数種類のサブピクセルからなり、
各画素に含まれるサブピクセルは、ストライプ配列とは異なる配列となっている
電子機器。
【符号の説明】
【００７４】
１…表示装置、１０…バックライト、２０…表示パネル、３０…パネル部、３１…画素、３１Ａ…第１画素、３１Ｂ…第２画素、３２，３２Ｒ，３２Ｇ，３２Ｂ…サブピクセル、３３…ブラック、３３Ａ，３３Ｂ，３３Ｃ…遮光部、４０…バリア部、４１…遮光領域、４２…光透過領域、ｄ１…第１適視領域、ｄ２…第２適視領域、Ｈ…観察者、１００…電子機器、１１１…本体部、１１２…表示体部、１１３…表示装置、１１４…表示画面、１１５…操作ボタン、１１６…送話部。
【図１】
0005628088.tif 000002
【図２】
0005628088.tif 000003
【図３】
0005628088.tif 000004
【図４】
0005628088.tif 000005
【図５】
0005628088.tif 000006
【図６】
0005628088.tif 000007
【図７】
0005628088.tif 000008